【手続補正書】
【提出日】平成19年6月14日(2007.6.14)
【手続補正１】
【補正対象書類名】明細書
【補正対象項目名】特許請求の範囲
【補正方法】変更
【補正の内容】
【特許請求の範囲】
【請求項１】  ディスクを載置するターンテーブルと、
前記ディスクを再生または記録する光ピックアップと、
前記光ピックアップを移動させる移動手段と、
前記ディスクを搬送するディスク搬送手段と、
前記ディスクを前記ターンテーブル上に押圧するクランプ部材と、
前記クランプ部材を回転自在に保持するクランプホルダと、
前記クランプホルダを昇降させる昇降手段とを有し、
前記クランプホルダは、前記昇降手段により上昇するときに前記ディスクの外周縁の下部を上方に持ち上げるための係止片を有することを特徴とするディスク装置。
【請求項２】  前記係止片は、前記ディスクの搬送方向の左右両側方にそれぞれ配置されることを特徴とする請求項１記載のディスク装置。
【請求項３】  前記係止片は、ディスクの半径方向内方に向かうにつれて傾斜して形成されることを特徴とする請求項１記載のディスク装置。
【手続補正２】
【補正対象書類名】明細書
【補正対象項目名】０００４
【補正方法】変更
【補正の内容】
【０００４】
【課題を解決するための手段】
本発明は、ディスクを載置するターンテーブルと、
前記ディスクを再生または記録する光ピックアップと、
前記光ピックアップを移動させる移動手段と、
前記ディスクを搬送するディスク搬送手段と、
前記ディスクを前記ターンテーブル上に押圧するクランプ部材と、
前記クランプ部材を回転自在に保持するクランプホルダと、
前記クランプホルダを昇降させる昇降手段とを有し、
前記クランプホルダは、前記昇降手段により上昇するときに前記ディスクの外周縁の下部を上方に持ち上げるための係止片を有することを特徴とするディスク装置である。
【手続補正３】
【補正対象書類名】明細書
【補正対象項目名】０００５
【補正方法】変更
【補正の内容】
【０００５】
本発明に従えば、ＤＶＤまたはＣＤおよびそのほかの種類のディスクは、ディスク搬送手段によって搬送されてターンテーブルの直上にもたらされ、昇降手段によってクランプホルダが下降されることによって、ディスクがターンテーブル上に載置され、クランプ部材によって押圧される。ターンテーブルが回転駆動源によって回転軸線まわりに回転駆動された状態で、光ピックアップによって、ディスクの再生または記録が行われる。
【手続補正４】
【補正対象書類名】明細書
【補正対象項目名】０００６
【補正方法】変更
【補正の内容】
【０００６】
ディスクの再生または記録の終了後、回転駆動源によるターンテーブルの回転駆動が停止された後、昇降手段は、クランプホルダを上昇する。クランプホルダには、ディスクの外周縁の下部を上方に持ち上げるための係止片が設けられており、したがってクランプホルダの上昇中、ディスクの外周縁が、クランプホルダの上昇に伴って、上昇される。こうしてターンテーブルに載置されていたディスクは、クランプホルダの係止片によって持ち上げられる。こうして持ち上げられたディスクは、ディスク搬送手段によって円滑に排出搬送されることができる。したがって厚み方向などに変形したディスクであっても、ターンテーブル上に残存して排出搬送されなくなってしまうおそれはない。
【手続補正５】
【補正対象書類名】明細書
【補正対象項目名】０００７
【補正方法】変更
【補正の内容】
【０００７】
また本発明は、前記係止片は、前記ディスクの搬送方向の左右両側方にそれぞれ配置されることを特徴とする。
【手続補正６】
【補正対象書類名】明細書
【補正対象項目名】０００８
【補正方法】変更
【補正の内容】
【０００８】
本発明に従えば、クランプホルダに設けられた係止片は、ディスク搬送手段によるディスクの搬送方向の左右両側方に設けられており、これによってターンテーブル上のディスクの外周縁の下部を、周方向に１８０度ずれた位置で昇降手段によるクランプホルダの上昇に伴って、持ち上げることができる。これによってディスクをターンテーブルから確実に持ち上げて排出搬送を可能にする。
【手続補正７】
【補正対象書類名】明細書
【補正対象項目名】０００９
【補正方法】変更
【補正の内容】
【０００９】
また本発明は、前記係止片は、ディスクの半径方向内方に向かうにつれて傾斜して形成されることを特徴とする。
【手続補正８】
【補正対象書類名】明細書
【補正対象項目名】００１０
【補正方法】変更
【補正の内容】
【００１０】
本発明に従えば、係止片が、ディスクの半径方向内方に向かうにつれて傾斜して形成される。係止片が、たとえば、ディスクの半径方向内方に向かうにつれて下方に傾斜して形成されると、係止片がディスクの最外周縁に点接触または線接触する。したがってディスクの外周縁のごく近傍にまで記録層が形成されているディスクであっても、そのようなディスクの外周縁が、係止片との接触によって損傷することはなく、ディスクの外周縁付近における再生／記録を確実に行うことができる。
【手続補正９】
【補正対象書類名】明細書
【補正対象項目名】００１１
【補正方法】変更
【補正の内容】
【００１１】
【発明の実施の形態】
図１は、本発明の実施の一形態の全体の構成を示す簡略化した平面図である。ＤＶＤ再生装置５０１において、挿入／排出口５０２から矢符５０３で示されるようにＤＶＤ５０４が、装置本体５０５内に挿入される。このＤＶＤ５０４は、装置本体５０５内で、回転駆動源５０６によって図１の紙面にほぼ垂直な回転軸線５０７のまわりに回転駆動されるターンテーブルであるテーブル５０８に乗載（載置）される。このテーブル５０８に乗載されたＤＶＤは、参照符５０９で示される。このＤＶＤ５０９は、光ピックアップ５１１に備えられた対物レンズ５１２からのレーザ光を用いてそのＤＶＤ５０９の記録層の内容が読出されて再生される。光ピックアップ５１１は、ねじ棒である主軸５１３と、副軸５１４によって案内され、光ピックアップ５１１は、図１の破線で示されるＤＶＤ５０９の半径方向最内方位置と、仮想線５１５で示されるＤＶＤ５０９の半径方向最外方の位置との間にわたって、移動方向５１６の前後に移動することができる。
【手続補正１０】
【補正対象書類名】明細書
【補正対象項目名】００１５
【補正方法】変更
【補正の内容】
【００１５】
クランプ手段６７５は基本的に、挿入されたディスク５０９をテーブル５０８上に装着するクランプ部材６７６と、このクランプ部材６７６を保持するクランプホルダであるホルダ６７８と、ホルダ６７８に取付けられてクランプ部材６７６をテーブル５０８に向けて弾発的に押圧するばね部材６７９とを含む。クランプ手段６７５のクランプ部材６７７は、前述の昇降手段６７５によって、図２の上限位置と図３の下限位置とに昇降変位される。
【手続補正１１】
【補正対象書類名】明細書
【補正対象項目名】００１７
【補正方法】変更
【補正の内容】
【００１７】
ホルダ６７８の側部６８４，６８５には、ディスク５０９の外周縁の下部に係止する係止片６９１，６９２が、設けられる。これらの係止片６９１，６９２は、ディスク５０９の挿入方向５０３の左右両側方（すなわち図４の右方および左方の両側方）にそれぞれ配置される。これらの係止片６９１，６９２は、図５に明らかに示されるように、ディスク５０９の半径方向内方に向かうにつれて、テーブル５０８に近づくように、すなわち図５の下方になるように、傾斜して形成される。したがってディスク５０９がたとえば厚み方向に変形しており、図３に示されるようにテーブル５０８に装着された状態から、図２に示されるようにディスク５０９の排出搬送のために上昇されるとき、ディスク５０９の外周縁の下部が、係止片６９１，６９２の上面に点接触して持上げられる。これによってディスク５０９のテーブル５０８上における装着した状態を、確実に解除し、ディスク５０９の挿入／排出口５０２寄りの部分を、搬送ローラ６７１と摺動片６７２とに挟持された状態で排出搬送させることが確実になる。ディスク５０９は、係止片６９１，６９２に前述のように点接触するので、このディスク５０９の外周縁が係止片６９１，６９２の接触によって損傷するおそれはない。
【手続補正１２】
【補正対象書類名】明細書
【補正対象項目名】００４４
【補正方法】変更
【補正の内容】
【００４４】
【発明の効果】
請求項１記載の本発明によれば、厚み方向に変形し、さらに中央孔の形状が変形したディスクであっても、クランプホルダに設けられた係止片によって、そのクランプホルダの上昇時に、ターンテーブルに載置されているディスクの外周縁の下部が上方に持ち上げられることになる。これによってディスク搬送手段は、ディスクを確実に排出搬送することができるようになる。
【手続補正１３】
【補正対象書類名】明細書
【補正対象項目名】００４５
【補正方法】変更
【補正の内容】
【００４５】
請求項２の本発明によれば、左右一対の係止片によってディスクをターンテーブルから持ち上げることができ、これによってディスク搬送手段による排出搬送はさらに一層確実になる。
【手続補正１４】
【補正対象書類名】明細書
【補正対象項目名】００４６
【補正方法】変更
【補正の内容】
【００４６】
請求項３の本発明によれば、係止片が、ディスクの半径方向内方に向かうにつれて傾斜、たとえばディスクの半径方向内方に向かうにつれて下方に傾斜して形成されることによって、係止片はディスクの外周縁に点接触または線接触し、したがってディスクの外周縁が係止片との接触によって損傷するおそれはない。これによってディスクの外周縁のごく近傍にまで情報の再生／記録を行うことができるようになる。